(57)【要約】【課題】金属の架構材によって構成されたパレット本体の無線タグに対して容易に、かつ確実に通信を行うこと。【解決手段】建材Ｆが搭載されるパレット本体１０と、パレット本体１０に設けられた無線タグ２０とを備え、パレット本体１０は、金属の架構材１１を組み合わせることによって構成され、建材Ｆが載置される上方架構部１２と、上方架構部１２の下方に設けられ、上方架構部１２との間に空間１５が確保された下方架構部１３とを有したものであり、無線タグ２０は、平面視においてパレット本体１０の中央であって、上方架構部１２と下方架構部１３との間の空間１５に臨む状態で配置され、かつ上方架構部１２及び下方架構部１３を構成するそれぞれの架構材１１に対しては、少なくとも通信波長の１／３以上となる間隔ｄが確保されている。【選択図】図４
2019209998.tif 000002
【特許請求の範囲】
【請求項１】
建材が搭載されるパレット本体と、前記パレット本体に設けられた無線タグとを備えた建材用パレットであって、
前記パレット本体は、金属の架構材を組み合わせることによって構成されたものであり、
前記無線タグは、平面視において前記パレット本体の中央となる部位に配置され、かつ前記パレット本体を構成する架構材に対しては、少なくとも通信波長の１／３以上となる間隔が確保されていることを特徴とする建材用パレット。
【請求項２】
前記パレット本体は、前記建材が載置される上方架構部と、前記上方架構部の下方に設けられ、前記上方架構部との間に空間が確保された下方架構部とを有したものであり、
前記上方架構部と前記下方架構部との間の空間に臨む状態で前記無線タグを配置したことを特徴とする請求項１に記載の建材用パレット。
【請求項３】
前記無線タグは、内蔵された電池によって通信を行うものであることを特徴とする請求項１に記載の建材用パレット。
【発明の詳細な説明】
【技術分野】
【０００１】
本発明は、建材を搬送する場合に適用する建材用パレットに関するものである。
【背景技術】
【０００２】
従来より、物品を搬送する際に用いるパレットには、物品が搭載されるパレット本体に無線タグを配設するようにしたものが提供されている。この種のパレットを適用した場合には、無線タグのメモリに格納されたパレットや物品に関わる情報を読み取ることにより、パレット移動経路や物品の管理が容易となる。
【０００３】
無線タグを設ける位置としては、平面視においてパレット本体の中央となる部位に設けることが好ましい。すなわち、パレット本体の中央部に無線タグを設けた場合には、例えばタグライターをパレット本体の中央部に向けて操作しさえすれば、パレットの向きを考慮することなく無線タグに対して各種情報の書き込みを行うことができるようになる（例えば、特許文献１参照）。
【先行技術文献】
【特許文献】
【０００４】
【特許文献１】特開平８−２４４７７３号公報
【発明の概要】
【発明が解決しようとする課題】
【０００５】
ところで、建具やエクステリアの構成要素となる建材を搬送するパレットにおいては、建材の重量を考慮するとともに、パレット本体の耐久性を考慮し、パレット本体が金属の架構材を組み合わせることによって構成されている場合が多い。しかしながら、金属の架構材によって構成されたパレット本体に対しては、無線タグを中央部に配設した場合、架構材との相互作用によってアンテナのマッチングが狂う事態が招来され、送受信感度が低下する等、無線タグとの通信に影響を及ぼすおそれがある。
【０００６】
本発明は、上記実情に鑑みて、金属の架構材によって構成されたパレット本体の無線タグに対して容易に、かつ確実に通信を行うことのできる建材用パレットを提供することを目的とする。
【課題を解決するための手段】
【０００７】
上記目的を達成するため、本発明に係る建材用パレットは、建材が搭載されるパレット本体と、前記パレット本体に設けられた無線タグとを備えた建材用パレットであって、前記パレット本体は、金属の架構材を組み合わせることによって構成されたものであり、前記無線タグは、平面視において前記パレット本体の中央となる部位に配置され、かつ前記パレット本体を構成する架構材に対しては、少なくとも通信波長の１／３以上となる間隔が確保されていることを特徴とする。
【０００８】
この発明によれば、無線タグの周囲においては金属の架構材との間に通信波長の１／３以上となる十分な間隔が確保されているため、パレット本体の中央部に無線タグが設けられているものの、アンテナのマッチングが狂うおそれがなく、送受信感度が低下する等の問題を招来することがなくなる。
【０００９】
また本発明は、上述した建材用パレットにおいて、前記パレット本体は、前記建材が載置される上方架構部と、前記上方架構部の下方に設けられ、前記上方架構部との間に空間が確保された下方架構部とを有したものであり、前記上方架構部と前記下方架構部との間の空間に臨む状態で前記無線タグを配置したことを特徴とする。
【００１０】
この発明によれば、上方架構部と下方架構部との空間を介してパレット本体の側方から無線タグに対して通信を行うことができる。
【００１１】
また本発明は、上述した建材用パレットにおいて、前記無線タグは、内蔵された電池によって通信を行うものであることを特徴とする。
【００１２】
この発明によれば、無線タグとの通信にタグリーダーの操作が不要となるため、パレットの移動経路や建材の管理をより容易化することができる。
【発明の効果】
【００１３】
本発明によれば、無線タグの周囲においては金属の架構材との間に通信波長の１／３以上となる十分な間隔が確保されているため、パレット本体の中央部に無線タグが設けられているものの、アンテナのマッチングが狂うおそれがなく、送受信感度が低下する等の問題を招来することがなくなる。従って、無線タグからの情報を確実に受信してパレットの移動経路や建材の管理を容易化することができるようになるとともに、パレットの向きを考慮することなくタグライターによって各種情報の書き込みを行うことができるようになる。
【図面の簡単な説明】
【００１４】
【図１】本発明の実施の形態である建材用パレットの斜視図である。
【図２】図１に示した建材用パレットに建材を搭載した状態の斜視図である。
【図３】図１に示した建材用パレットの平面図である。
【図４】図１に示した建材用パレットの側面一部破断図である。
【図５】図１に示した建材用パレットの要部を拡大した縦側面図である。
【発明を実施するための形態】
【００１５】
以下、添付図面を参照しながら本発明に係る建材用パレットの好適な実施の形態について詳細に説明する。
図１〜図５は、本発明の実施の形態である建材用パレットを示したものである。ここで例示する建材用パレット１は、建具やエクステリアの構成要素となる建材を搬送する場合に適用するものである。例えば、建具の構成要素となる建材としては、枠材、框材、ガラス、ドア等がある。エクステリアの構成要素となる建材としては、柵や門扉等がある。枠材、框材、柵等のフレーム材については、水平方向に整列したものを複数段積層した状態で搬送を行うようにしている。一方、ガラス、ドア、門扉等の面材については、立て掛けた状態で搬送を行うようにしている。
【００１６】
この建材用パレット１は、建材Ｆを搭載するためのパレット本体１０を備えている。パレット本体１０は、複数の架構材１１を組み合わせることによって構成した２つの架構部１２，１３を互いに上下に配置することによって構成したものである。それぞれの架構部１２，１３は、外形が長方形状の格子状を成すもので、互いに同一の大きさとなるように構成してある。上方に配置される架構部（以下、区別する場合に上方架構部１２という）及び下方に配置される架構部（以下、区別する場合に下方架構部１３という）は、互いの間に上下に沿った複数の連結材１４を介在させることにより、一定高さの空間１５を確保した状態で相互に連結してある。具体的な寸法を例示すれば、本実施の形態では、長辺２０００ｍｍ、短辺１０１５ｍｍ、高さ１１１ｍｍの寸法を有したパレット本体１０を構成するようにしている。架構材１１としては、一辺が２０ｍｍの正方形断面を有した角筒状を成すものを適用している。上方架構部１２と下方架構部１３との間には、７０ｍｍ程度の高さが確保してある。このパレット本体１０には、上方架構部１２の上面に段プラと称される樹脂製のシート（図示せず）が配設された状態で建材Ｆが搭載されることになる。      
【００１７】
パレット本体１０の長辺となる縁部には、それぞれの両端となる部位に支柱部材１６が立設してある。支柱部材１６は、パレット本体１０に固定した基台１６ａと、基台１６ａの上端部に屈曲可能に設けた支柱部１６ｂとを備えたものである。図には明示していないが、それぞれの基台１６ａの底面には、凹部が設けてある。凹部は、支柱部１６ｂの上端部及び基台１６ａの上端部を収容することが可能となるように構成したものである。従って、支柱部１６ｂを上方に突出させた場合には、下方に配置した建材用パレット１の支柱部１６ｂをそれぞれ、上方に配置した建材用パレット１の凹部に収容させることで、パレット本体１０に建材Ｆを搭載した状態で、複数の建材用パレット１を上下に積み重ねることが可能である。一方、それぞれの支柱部１６ｂを屈曲させた場合には、支柱部材１６の高さが基台１６ａの高さとなり、パレット本体１０からの突出高さが小さくなる。従って、建材Ｆが搭載されていない空の建材用パレットは、基台１６ａの上端部を凹部に収容させることで、パレット本体１０を相互に近接させた状態で上下に積み重ねることができる。
【００１８】
パレット本体１０の中央部には、無線タグ２０が配設してある。本実施の形態では、周波数９２０ＭＨｚ（≒波長３２５ｍｍ）の電波で通信を行う無線タグ２０を適用している。図には明示していないが、無線タグ２０には、パッシブタグアンテナ、メモリ、振動センサ、温度センサ及び電池２１が内蔵してある。内蔵電池２１は、タグリーダーとの間においてアクティブタグとして動作する際の電源となるものである。無線タグ２０とタグリーダーとの通信範囲は、およそ３００ｍである。一方、この無線タグ２０は、タグライターとの間においてはパッシブタグとして動作する。パッシブタグとして動作した場合には、１ｍ前後の範囲でタグライターと無線通信を行い、メモリに所望の情報を書き込むことが可能である。無線タグ２０の上下に沿った外形寸法は、上方架構部１２と下方架構部１３との間に確保した空間１５の高さとほぼ等しい。
【００１９】
図からも明らかなように、上述の無線タグ２０は、樹脂によって成形した直方体状を成す収容箱３０の中心部に収容した後、パレット本体１０に形成した収容部１７に配置してある。収容部１７は、上方架構部１２の中央部に設けた矩形枠１８及び下方架構部１３の中央部に設けた矩形枠１９によって囲まれる直方体状の空間であり、収容箱３０を隙間無く、かつ建材用パレット１から突出しない状態で嵌め込むことのできる寸法に構成してある。より具体的に説明すると、それぞれの架構部１２，１３においては、短辺を二等分する鉛直面と、長辺を二等分する鉛直面との交線が中心軸心となるように架構材１１によって矩形枠１８，１９が設けてある。無線タグ２０と矩形枠１８，１９を構成する架構材１１との間には、１５０（＞３２５／３）ｍｍの最小間隔ｄが確保してある。
【００２０】
上記のように構成した建材用パレット１によれば、矩形枠１８，１９を構成する架構材１１が無線タグ２０に対してもっとも近接する導電性部材となり、無線タグ２０とこの架構材１１との間に１５０ｍｍの間隔を確保している。これにより、金属の架構材１１によって構成したパレット本体１０の中央部に無線タグ２０を設けてあるものの、架構材１１との相互作用に起因してアンテナのマッチングが狂う事態が招来されるおそれはなく、アンテナの利得が確保されることになる。従って、例えば、タグリーダーを備えた工場に建材Ｆを搭載した建材用パレット１が納入されると、無線タグ２０のメモリに格納された情報をタグリーダーで受信することができ、建材用パレット１の移動経路や建材用パレット１に搭載された建材Ｆの管理を容易化することができるようになる。
【００２１】
ここで、建材用パレット１に対してアルミニウム合金等の金属によって成形したフレーム材等の建材Ｆを搭載したとしても、長尺状のものが規則正しく周期的に配置された状態にあるため、パレット本体１０の上面が完全に覆われることはない。また、建材用パレット１に対してドアやガラス等の面材を搭載する場合にも、立て掛ける姿勢であれば、パレット本体１０の上面が完全に覆われることはない。従って、パレット本体１０の中央部に設けた無線タグ２０から上方に向けて送出された電波は、建材Ｆの間に構成される隙間を通じて上方に出力されることになり、確実にタグリーダーに到達することになる。
【００２２】
建材Ｆを降ろして空となった建材用パレット１に対しては、無線タグ２０の情報を更新したり、消去する必要がある。上述の建材用パレット１によれば、上方架構部１２と下方架構部１３との間の空間１５に臨んで無線タグ２０が配置してある。このため、これら上方架構部１２及び下方架構部１３の間の空間１５からパレット本体１０の中心部に向けてタグライターを操作すれば、建材用パレット１の向きを考慮することなく、無線タグ２０の情報を更新したり、削除することができるようになる。
【００２３】
なお、上述した実施の形態で示した寸法や数値は、あくまでも例示のためであって本発明を何ら限定するものではない。例えば、無線タグとしては、通信波長が９２０ＭＨｚ以外の電波で中心を行うものを適用してももちろん良い。この場合、架構材との間に確保する間隔も１５０ｍｍではなく、波長に応じて変更した値となるのはいうまでもない。また、パレット本体１０として上方架構部１２と下方架構部１３とを備えたものを例示し、かつこれら架構部１２，１３の間の空間１５に無線タグ２０を設けるようにしているため、パレット本体１０の側方から空間１５を通じて無線タグ２０を見通すことができ、タグライターによる情報の書き込みをより容易に行うことが可能である。しかしながら、本発明は必ずしもパレット本体が上方架構部及び下方架構部を備えている必要はない。
【符号の説明】
【００２４】
１  建材用パレット、１０  パレット本体、１１  架構材、１２  上方架構部、１３  下方架構部、１４  連結材、１５  空間、１６  支柱部材、１７  収容部、１８，１９  矩形枠、２０  無線タグ、２１  電池、３０  収容箱、ｄ  間隔、Ｆ  建材
【図１】
2019209998.tif 000003
【図２】
2019209998.tif 000004
【図３】
2019209998.tif 000005
【図４】
2019209998.tif 000006
【図５】
2019209998.tif 000007